(57)【要約】【課題】取り付ける際に髪に干渉せず、長さ調節を容易に行うことが可能な留め具の提供を目的とする。【解決手段】冷却器具１００は、１対の部材（第１部材２と第２部材４）を連結して構成される留め具２００と、留め具２００に設けられた貫通孔１２、１４に端部６、８が通された冷却パッド１０とを備える。図１に示す連結した状態から、第１部材２をＸ方向に、第２部材４をＹ方向に移動させて留め具２００を分離した状態で取り付けが行われる。【選択図】  図１
2013146338.tif 000002
【特許請求の範囲】
【請求項１】
第１の貫通孔および第１の取付部を有する第１部材と、
第２の貫通孔および前記第１の取付部と連結される第２の取付部を有する第２部材と、
前記第１の貫通孔に通される第１の線状部および記第２の貫通孔に通される第２の線状部を有し、本体部分および前記第１および第２の線状部によって閉領域を定義する被留め部材と、
を備えた、留め具付き器具であって、
前記被留め部材の第１部材および第２部材が連結された状態で、前記閉領域が小さくなるように、少なくとも第１の貫通孔に対して前記第１の線状部が移動し、又は第２の貫通孔に対して前記第２の線状部が移動するように構成し、かつ、連結された前記第１部材および前記第２部材の位置を前記第１の線状部および前記第２の線状部に対して固定することができるように構成されたこと、
を特徴とする留め具付き器具。
【請求項２】
請求項１の留め具付き器具において、
前記第１部材の連結面と前記第２部材の連結面とが離れる方向に力が加えられた場合に、前記第１の取付部と前記第２の取付部に、前記第１部材の連結面と前記第２部材の連結面とが離れるのを抗する力が働くよう構成したこと、
を特徴とする留め具付き器具。
【請求項３】
請求項１または請求項２の留め具付き器具において、
前記第１の取付部と前記第２の取付部とを連結するために、前記貫通孔の延伸方向に対して平行または垂直に延びる一対の逆テーパー溝が形成されていること、
を特徴とする留め具付き器具。
【請求項４】
請求項１〜３の何れかの留め具付き器具において、
前記第１の線状部の端部および前記第２の線状部の端部が、前記貫通孔で係止するように構成されていること、
を特徴とする留め具付き器具。
【請求項５】
第１の貫通孔および第１の取付部を有する第１部材と、
第２の貫通孔および第２の取付部を有する第２部材と、
前記第１の貫通孔に通される第１の線状部および記第２の貫通孔に通される第２の線状部を有し、本体部分および前記第１および第２の線状部によって閉領域を定義する被留め部材と、
を備えた留め具付き器具を対象物に装着する装着方法であって、
対象物に前記被留め部材を巻き付け、
前記第１部材の第１の取付部に、前記第２部材の第２の取付部を連結し、
連結した前記第１部材および第２部材を、前記閉領域が小さくなるように前記被留め部材の方向に移動させること、
を特徴とする装着方法。
【請求項６】
第１の貫通孔および第１の取付部を有する第１部材と、
第２の貫通孔および前記第１の取付部と連結される第２の取付部を有する第２部材と、
を備えており、
前記第１部材の連結面と前記第２部材の連結面とが離れる方向に力が加えられた場合に、前記第１の取付部と前記第２の取付部に、前記第１部材の連結面と前記第２部材の連結面とが離れるのを抗する力が働くよう構成したこと、
を特徴とする留め具。
【発明の詳細な説明】
【技術分野】
【０００１】
この発明は、対象部位に巻き付けられる器具の留め具に関する。
【背景技術】
【０００２】
従来から、アクセサリー（ネックレス、チョーカー等）の輪状部分の長さを調節するための留め具が存在した（特許文献１）。例えば、特許文献１には、図８に示すように、他端に設けられたスライド体を互いに貫通するように設けられた一対のスライド体の３ａ、３ｂの間隔を縮めるまたは拡げることで、首に掛けたアクセサリーの長さを調節する留め具が開示されている。
【先行技術文献】
【特許文献】
【０００３】
【特許文献１】特開２０１０−２２０７０８号公報
【発明の概要】
【発明が解決しようとする課題】
【０００４】
しかしながら、特許文献１の留め具には、次のような問題があった。（i）輪の状態で頭から首に通す必要があり、その際に髪型が崩れる等の不便があった。（ii）長さ調節のために、一対のスライダを両方持って移動させる必要があり、面倒であった。
【０００５】
本発明は、取り付ける際に髪に干渉せず、長さ調節を容易に行うことが可能な留め具の提供を目的とする。
【課題を解決するための手段】
【０００６】
（１）この発明の留め具付き器具は、
第１の貫通孔および第１の取付部を有する第１部材と、
第２の貫通孔および前記第１の取付部と連結される第２の取付部を有する第２部材と、
前記第１の貫通孔に通される第１の線状部および記第２の貫通孔に通される第２の線状部を有し、本体部分および前記第１および第２の線状部によって閉領域を定義する被留め部材と、
を備えた、留め具付き器具であって、
前記被留め部材の第１部材および第２部材が連結された状態で、前記閉領域が小さくなるように、少なくとも第１の貫通孔に対して前記第１の線状部が移動し、又は第２の貫通孔に対して前記第２の線状部が移動するように構成し、かつ、連結された前記第１部材および前記第２部材の位置を前記第１の線状部および前記第２の線状部に対して固定することができるように構成されたこと、
を特徴とする。
【０００７】
これにより、取り付ける際に髪に干渉せず、長さ調節を容易に行うことが可能な留め具の提供することができる。
【０００８】
（２）この発明の留め具付き器具は、
前記第１部材の連結面と前記第２部材の連結面とが離れる方向に力が加えられた場合に、前記第１の取付部と前記第２の取付部に、前記第１部材の連結面と前記第２部材の連結面とが離れるのを抗する力が働くよう構成したこと、
を特徴とする。
【０００９】
これにより、留め具を取り付けた被留め部材の長さ調節を行った状態（例えば、チョーカーのように首の根元まで留め具を移動させた場合）でも、締め付けた張力によって留め具が外れるのを防止することができる。
【００１０】
（３）この発明の留め具付き器具は、
前記第１の取付部と前記第２の取付部とを連結するために、前記貫通孔の延伸方向に対して平行または垂直に延びる一対の逆テーパー溝が形成されていること、
を特徴とする。
【００１１】
これにより、第１の取付部と前記第２の取付部とを一対の逆テーパー溝により連結して、取り付ける際に髪に干渉せず、長さ調節を容易に行うことができる。
【００１２】
（４）この発明の留め具付き器具は、
前記第１の線状部の端部および前記第２の線状部の端部が、前記貫通孔で係止するように構成されていること、
を特徴とする。
【００１３】
これにより、第１および第２の線状部の端部がそれぞれ貫通孔から抜け落ちるのを防止することができる。
【００１４】
（５）この発明の留め具付き器具の装着方法は、
第１の貫通孔および第１の取付部を有する第１部材と、
第２の貫通孔および第２の取付部を有する第２部材と、
前記第１の貫通孔に通される第１の線状部および記第２の貫通孔に通される第２の線状部を有し、本体部分および前記第１および第２の線状部によって閉領域を定義する被留め部材と、
を備えた留め具付き器具を対象物に装着する装着方法であって、
対象物に前記被留め部材を巻き付け、
前記第１部材の第１の取付部に、前記第２部材の第２の取付部を連結し、
連結した前記第１部材および第２部材を、前記閉領域が小さくなるように前記被留め部材の方向に移動させること、
を特徴とする。
【００１５】
これにより、留め具を取り付ける際に髪に干渉せず、長さ調節を容易に行うことが可能な装着方法を提供することができる。
【００１６】
（６）この発明の留め具は、
第１の貫通孔および第１の取付部を有する第１部材と、
第２の貫通孔および前記第１の取付部と連結される第２の取付部を有する第２部材と、
を備えており、
前記第１部材の連結面と前記第２部材の連結面とが離れる方向に力が加えられた場合に、前記第１の取付部と前記第２の取付部に、前記第１部材の連結面と前記第２部材の連結面とが離れるのを抗する力が働くよう構成したこと、
を特徴とする。
【００１７】
これにより、留め具を取り付けて長さ調節を行った状態（例えば、チョーカーのように首の根元まで留め具を移動させた場合）でも、締め付けた張力によって留め具が外れるのを防止することができる。
【図面の簡単な説明】
【００１８】
【図１】本発明の冷却器具１００の構造を示す図である。
【図２】本発明の冷却器具１００に用いられる留め具２００の構造を示す図である。
【図３】本発明の冷却器具１００の取付方法（ステップ１）を示す図である。
【図４】本発明の冷却器具１００の取付方法（ステップ２）を示す図である。
【図５】本発明の冷却器具１００の取付方法（ステップ３）を示す図である。
【図６】他の実施形態の留め具２００’、２００”の構造を示す図である。
【図７】従来技術の留め具の構造を示す図である。
【発明を実施するための形態】
【００１９】
１．本発明の実施形態
図１に、本発明の留め具付き器具である冷却器具１００の構造を示す。なお、冷却器具１００は、夏の暑い時期に、水に浸した状態で作業者の首を冷却する製品である。
【００２０】
冷却器具１００は、図１に示すように、１対の部材（第１部材２と第２部材４）を連結して構成される留め具２００と、留め具２００に設けられた貫通孔１２、１４に線状部６、８が通された冷却パッド１０とを備えている。第１の線状部６、第２の線状部８および冷却パッド１０が、被留め部材を構成する。なお、取り付ける際には、留め具２００は、図１に示す留め具２００として連結した状態から、第１部材２がＸ１方向に、第２部材４がＹ１方向に相対的に移動させられ、分離される（後述する）。
【００２１】
冷却パッド１０および第１および第２の線状部６、８によって、図１に示す閉領域Ｆが定義される。第１部材２および第２部材４が連結された状態で、閉領域Ｆが小さくなるように、第１の貫通孔１２および記第２の貫通孔１４に対して前記第１および第２の線状部６、８が移動するように構成し、かつ、連結された第１部材２および前記第２部材４（すなわち、留め具２００）の位置を、第１の線状部６および第２の線状部８に対して固定することができるように構成される。
【００２２】
図２Ａを用いて、第１部材２と、第２部材４の構造について説明する。なお、図２Ａでは、第１部材２（左側）が有する第１の取付部２０ａと、第２部材４（右側）が有する第２の取付部２０ｂをそれぞれ上方に向けた状態を示している。
【００２３】
図２Ａに示すように、第１部材２は、長手方向に延伸して設けられる第１の貫通孔１２と、第２部材４に連結するための第１の取付部であるスライド式の嵌め込み凸溝２０ａを有する。同様に、第２部材４は、長手方向に延伸して設けられる第２の貫通孔１４と、第１部材２に連結するための第２の取付部であるスライド式の嵌め込み凹溝２０ｂを有する。本実施形態では、第１の貫通孔１２および第２の貫通孔１４を、いずれも丸型の孔とした。
【００２４】
また、図２Ａに示す第１部材２の嵌め込み凸溝２０ａは、貫通孔１２に対してほぼ平行に延びている。同様に、第２部材４の嵌め込み凹溝２０ａは、貫通孔１４に対して平行に延びている。なお、図２Ａ，Ｂに示すように、一対の逆テーパー溝２０ａ、２０ｂは、連結面Ｓ２、Ｓ４の途中（例えば、全長の半分程度）まで形成されているが、全長にわたっては設けられていない。このため、一対の逆テーパー溝２０ａ、２０ｂが途切れた位置でスライド移動をストップさせることができる。一対の逆テーパー溝２０ａ、２０ｂは、第１部材２の連結面Ｓ２と第２部材４の連結面Ｓ４とが離れる方向に力が加えられても、連結が解除されない（抗する力が働く）ように、逆テーパー状に成形されている。
【００２５】
さらに、図２Ａに示すように、第１部材２の連結面Ｓ２には、２つの凸部２２が設けられている。第２部材４の連結面Ｓ４には、２つの凹部２４が設けられている。このため、第１部材２と第２部材４を相対的にスライド移動させた時に、凹部２２と凸部２４とが噛み合って、第１部材２と第２部材４をしっかりと嵌め込むことができる。
【００２６】
上記のような構造の第１部材２および第２部材４は、例えば、プラスチック素材を金型に流し込んで成型することができる。
【００２７】
図２Ｂに、第１部材２と、第２部材４とを連結し、留め具２００として一体化した状態を示す。第１部材２を図２Ｂに示すＸ２方向に、第２部材４を図２Ｂに示すＹ２方向にスライドさせて連結することで、留め具２００として一体化することができる。本実施形態の留め具２００は、図２Ｂに示すように、一体化したときに、全体としてハート形になるようにした。
【００２８】
つぎに、留め具２００以外の冷却器具１００の各部について説明する。
【００２９】
図１に示す冷却パッド１０には、水に浸すことによって所定時間だけ気化熱による冷却効果が得られるような素材が内部に封入されている。本実施形態では、そのような素材として粒状のポリアクリル酸ナトリウムを使用したが、これに限定されるものでない。
【００３０】
冷却パッド１０の第１の線状部６は、第１部材２の第１の貫通孔１２に通され、先端が固く結ばれている。同様に、冷却パッド１０の第２の線状部８も、第２部材４の第２の貫通孔１４に通され、先端が固く結ばれている。
【００３１】
第１の線状部６および第２の線状部８の素材としては、紐材（例えば、糸材を編み込んだくみ紐など）が用いられ、冷却パッド１０に縫い付け等して固定される。
【００３２】
これら各線状部の先端が固く結ばれることで、第１の線状部６および第２の線状部８が貫通孔１２、１４で係止する。このため、第１の線状部６の先端および第２の線状部８の先端が貫通孔１２、１４から抜け落ちてしまうのを防止することができる。
【００３３】
また、冷却パッド１０の線状部６、８を構成する紐の断面積は、貫通孔１２、１４の長手方向の断面積よりもやや大きく、またはこれと同程度になるように設定される。これは、留め具２００が自重でズレ下がるのを防止するためである。
【００３４】
図３から図５を用いて、冷却器具１００の装着方法について説明する。
【００３５】
まず、図３に示すように、冷却パッド１０を、巻き付ける対象となる部位「首」３００に巻き付ける（ステップ１）。このとき、第１部材２と第２部材４とはまだ分離した状態である。
【００３６】
さらに、第１部材２の連結面Ｓ２と、第２部材４の連結面Ｓ４を合わせてスライド移動させることにより、これらを連結させる（ステップ２）。これにより、ループタイのように輪を頭から通すことなく、留め具２００として一体化することができる。
【００３７】
そして、連結された前記第１および第２の取付部を、冷却パッド１０のあるＺ方向に移動させる（ステップ３）。すなわち、冷却パッド１０の両線状部６、８が、それぞれ第１部材２の第１の貫通孔１２および第２部材４の第２の貫通孔１４に対して相対的に移動し、留め具２００の位置を調節して固定される。
【００３８】
これにより、冷却パッド１０をしっかりと首３００に巻き付けることができる。
【００３９】
２．その他の実施形態
なお、上記実施形態では、第１部材２および第２部材４の材質をプラスチックとしたが、これに限定されるものではなく、例えば、金属、セラミックなど、その他の材料を用いてもよい。
【００４０】
なお、上記実施形態では、留め具２００の形状をハート形にしたが、これに限定されるものではなく、例えば、四角形その他の多角形、丸形、球形など、その他の形状を採用してもよい。
【００４１】
なお、上記実施形態では、スライド嵌め込み式の留め具２００としたが、これに限定されるものではなく、例えば、ボタン式、磁石式など、その他の方式を採用してもよい。
【００４２】
なお、上記実施形態では、留め具２００に設ける孔を丸形としたが、これに限定されるものではなく、例えば、四角形その他の多角形、星形など、その他の形状を採用してもよい。
【００４３】
なお、上記実施形態では、対向する連結面Ｓ２、Ｓ４にそれぞれ凹部２２、凸部２４を付加したが（図２Ａ）、これに限定されるものではなく、例えば、連結面Ｓ２、Ｓ４に凹凸を付加しないようにしたり、他の方式の係止手段を設けるようにしてもよい。
【００４４】
なお、上記実施形態では、一対の逆テーパー溝２０ａ、２０ｂを直線状に設けたが（図２Ａ）、これに限定されるものではなく、例えば、図６Ａに示すように、第１部材２’および第２部材４’の凹凸に対して、一対のネジ溝２０ａ’、２０ｂ’を曲線状に設けた、ねじ込み式の留め具２００’としてもよい。
【００４５】
なお、上記実施形態では、一対の逆テーパー溝２０ａ、２０ｂを貫通孔１２、１４の延伸方向に対して平行に延びるように設けたが（図２Ａ）、これに限定されるものではなく、例えば、図６Ｂに示すように、一対の逆テーパー溝２０ａ”、２０ｂ”を貫通孔１２”、１４”の延伸方向に対して垂直に延びるように設けてもよい。
【００４６】
なお、上記実施形態では、一対の逆テーパー溝２０ａ、２０ｂを部分的に設けたが（図２Ａ）、これに限定されるものではなく、取付部の全面に溝を設けてもよい。
【００４７】
なお、上記実施形態では、被留め部材を、首の冷却器具としたが、これに限定されるものではなく、例えば、足の冷却器具、ネックレスなどとしてもよい。
【００４８】
なお、上記実施形態では、第１の線状部６および第２の線状部８を、糸材を編み込んだくみ紐により構成したが、これに限定されるものではなく、例えば、ビニール紐、ゴム紐、鎖（チェーン）など、その他の材料を用いてもよい。
【００４９】
なお、上記実施形態では、線状部を貫通孔に通すだけの構成としたが、これに限定されるものではなく、例えば、線状部を押圧することによって所定位置で止めることが可能な手段を取り付けるようにしてもよい。
【００５０】
なお、上記実施形態では、線状部である紐材の端部を固く結ぶこととしたが、これに限定されるものではなく、例えば、プラスチック部材などを各線状部の先端に取り付けるようにしてもよい。
【００５１】
なお、上記実施形態では、第１の貫通孔１２に対して第１の線状部６が移動し、かつ、第２の貫通孔１４に対して第２の線状部８が移動するように構成したが、これに限定されるものではなく、第２の貫通孔１４に対して第２の線状部８が固定された状態で、第１の貫通孔１２に対して第１の線状部６だけが移動するよう構成したり、第１の貫通孔１２に対して第１の線状部６が固定された状態で第２の貫通孔１４に対して第２の線状部８だけが移動するように構成してもよい。
【図１】
2013146338.tif 000003
【図２】
2013146338.tif 000004
【図３】
2013146338.tif 000005
【図４】
2013146338.tif 000006
【図５】
2013146338.tif 000007
【図６】
2013146338.tif 000008
【図７】
2013146338.tif 000009